【手続補正書】
【提出日】平成26年9月12日(2014.9.12)
【手続補正１】
【補正対象書類名】特許請求の範囲
【補正対象項目名】全文
【補正方法】変更
【補正の内容】
【特許請求の範囲】
【請求項１】
チャネル・フィードバック情報を報告する方法であって、
第１の局から第２の局への通信チャネルのための初期チャネル・ベクトルを取得することと、
前記初期チャネル・ベクトルを量子化するためのコードブックのセット中のコードブックを選択することであって、それぞれのコードブックはチャネル・ベクトルの異なるセットを含み、前記コードブックのセット中の異なるコードブックは異なる報告インターバルにおいて選択される、選択することと、
前記初期チャネル・ベクトルに基づいて、前記選択されたコードブック中のチャネル・ベクトルを選択することと、
前記第２の局から前記第１の局へ前記選択されたチャネル・ベクトルを送ることと
を具備する方法。
【請求項２】
前記選択されたコードブック中のチャネル・ベクトルを選択することは、
前記初期チャネル・ベクトルに基づいて、正規化されたチャネル・ベクトルを取得することと、
前記正規化されたチャネル・ベクトルを前記選択されたコードブック中のそれぞれのチャネル・ベクトルと相関付けることと、
前記選択されたコードブック中の全てのチャネル・ベクトルの中で最大の相関結果を持つチャネル・ベクトルを選択することと
を具備する、請求項１の方法。
【請求項３】
前記選択されたコードブック中のチャネル・ベクトルを選択することは、
前記初期チャネル・ベクトルと前記選択されたコードブック中のそれぞれのチャネル・ベクトルとの間の距離を決定することと、
前記選択されたコードブック中の全てのチャネル・ベクトルの中で最小の距離を持つチャネル・ベクトルを選択することと
を具備する、請求項１の方法。
【請求項４】
前記初期チャネル・ベクトルは、前記第２の局における１つの受信アンテナのためのものであり、前記方法は、
前記第２の局における少なくとも１つの追加の受信アンテナのための少なくとも１つの追加の初期チャネル・ベクトルを取得することと、
前記少なくとも１つの追加の初期チャネル・ベクトルに基づいて、前記選択されたコードブック中の少なくとも１つのチャネル・ベクトルを選択することと、
前記第２の局から前記第１の局へ全ての選択されたチャネル・ベクトルを送ることと
を更に具備する、請求項１の方法。
【請求項５】
前記第２の局における複数の受信アンテナのための複数のより短い初期チャネル・ベクトルを取得することであって、より短い初期チャネル・ベクトルはそれぞれの受信アンテナのためのものである、を取得することと、
前記複数のより短い初期チャネル・ベクトルに基づいて、前記初期チャネル・ベクトルを構成すること
を更に具備する、請求項１の方法。
【請求項６】
前記第２の局における複数の受信アンテナのための複数の初期チャネル・ベクトルを取得することであって、前記初期チャネル・ベクトルは１つの受信アンテナのためのものである、取得することと、
前記複数の初期チャネル・ベクトルと特別な受信機空間フィルタに基づいて等価チャネル行列を導出することと、
前記等価チャネル行列中の少なくとも１つのベクトルに基づいて、前記選択されたコードブック中の少なくとも１つのチャネル・ベクトルを選択することと、
前記第２の局から前記第１の局へ前記少なくとも１つの選択されたチャネル・ベクトルを送ることであって、前記選択されたチャネル・ベクトルは前記少なくとも１つの選択されたチャネル・ベクトルのうちの１つである、送ることと
を更に具備する、請求項１の方法。
【請求項７】
それぞれのコードブックは、異なる方位と単位の大きさを持つチャネル・ベクトルを含む、請求項１の方法。
【請求項８】
それぞれのコードブックは、異なる方位と大きさを持つチャネル・ベクトルを含む、請求項１の方法。
【請求項９】
チャネル・フィードバック情報を報告するための装置であって、
第１の局から第２の局への通信チャネルのための初期チャネル・ベクトルを取得するための手段と、
前記初期チャネル・ベクトルを量子化するためのコードブックのセット中のコードブックを選択するための手段であって、それぞれのコードブックはチャネル・ベクトルの異なるセットを含み、前記コードブックのセット中の異なるコードブックは異なる報告インターバルにおいて選択される、選択するための手段と、
前記初期チャネル・ベクトルに基づいて、前記選択されたコードブック中のチャネル・ベクトルを選択するための手段と、
前記第２の局から前記第１の局へ前記選択されたチャネル・ベクトルを送るための手段と
を具備する装置。
【請求項１０】
前記選択されたコードブック中のチャネル・ベクトルを選択するための手段は、
前記初期チャネル・ベクトルに基づいて、正規化されたチャネル・ベクトルを取得するための手段と、
前記正規化されたチャネル・ベクトルを前記選択されたコードブック中のそれぞれのチャネル・ベクトルと相関付けるための手段と、
前記選択されたコードブック中の全てのチャネル・ベクトルの中で最大の相関結果を持つチャネル・ベクトルを選択するための手段と
を具備する、請求項９の装置。
【請求項１１】
前記選択されたコードブック中のチャネル・ベクトルを選択するための手段は、
前記初期チャネル・ベクトルと前記選択されたコードブック中のそれぞれのチャネル・ベクトルとの間の距離を決定するための手段と、
前記選択されたコードブック中の全てのチャネル・ベクトルの中で最小の距離を持つチャネル・ベクトルを選択するための手段と
を具備する、請求項９の装置。
【請求項１２】
前記初期チャネル・ベクトルは、前記第２の局における１つの受信アンテナのためのものであり、前記装置は、
前記第２の局における少なくとも１つの追加の受信アンテナのための少なくとも１つの追加の初期チャネル・ベクトルを取得するための手段と、
前記少なくとも１つの追加の初期チャネル・ベクトルに基づいて、前記選択されたコードブック中の少なくとも１つのチャネル・ベクトルを選択するための手段と、
前記第２の局から前記第１の局へ全ての選択されたチャネル・ベクトルを送るための手段と
を更に具備する、請求項９の装置。
【請求項１３】
前記第２の局における複数の受信アンテナのための複数のより短い初期チャネル・ベクトルを取得することであって、より短い初期チャネル・ベクトルはそれぞれの受信アンテナのためのものである、取得するための手段と、
前記複数のより短い初期チャネル・ベクトルに基づいて、前記初期チャネル・ベクトルを構成するための手段と
を更に具備する、請求項９の装置。
【請求項１４】
チャネル・フィードバック情報を報告するための装置であって、
第１の局から第２の局への通信チャネルのための初期チャネル・ベクトルを取得することと、
前記初期チャネル・ベクトルを量子化するためのコードブックのセット中のコードブックを選択することであって、それぞれのコードブックはチャネル・ベクトルの異なるセットを含み、前記コードブックのセット中の異なるコードブックは異なる報告インターバルにおいて選択される、選択することと、
前記初期チャネル・ベクトルに基づいて、前記選択されたコードブック中のチャネル・ベクトルを選択することと、
前記第２の局から前記第１の局へ前記選択されたチャネル・ベクトルを送ることと
を行うように構成された少なくとも１つのプロセッサ
を具備する装置。
【請求項１５】
前記少なくとも１つのプロセッサは、
前記初期チャネル・ベクトルに基づいて、正規化されたチャネル・ベクトルを取得することと、
前記正規化されたチャネル・ベクトルを前記選択されたコードブック中のそれぞれのチャネル・ベクトルと相関付けることと、
前記選択されたコードブック中の全てのチャネル・ベクトルの中で最大の相関結果を持つチャネル・ベクトルを選択することと
を行うように構成される、請求項１４の装置。
【請求項１６】
前記少なくとも１つのプロセッサは、
前記初期チャネル・ベクトルと前記選択されたコードブック中のそれぞれのチャネル・ベクトルとの間の距離を決定することと、
前記選択されたコードブック中の全てのチャネル・ベクトルの中で最小の距離を持つチャネル・ベクトルを選択することと
を行うように構成される、請求項１４の装置。
【請求項１７】
前記初期チャネル・ベクトルは、前記第２の局における１つの受信アンテナのためのものであり、前記少なくとも１つのプロセッサは、
前記第２の局における少なくとも１つの追加の受信アンテナのための少なくとも１つの追加の初期チャネル・ベクトルを取得することと、
前記少なくとも１つの追加の初期チャネル・ベクトルに基づいて、前記選択されたコードブック中の少なくとも１つのチャネル・ベクトルを選択することと、
前記第２の局から前記第１の局へ全ての選択されたチャネル・ベクトルを送ることと
を行うように構成される、請求項１４の装置。
【請求項１８】
前記少なくとも１つのプロセッサは、
前記第２の局における複数の受信アンテナのための複数のより短い初期チャネル・ベクトルを取得することであって、より短い初期チャネル・ベクトルはそれぞれの受信アンテナのためのものである、取得することと、
前記複数のより短い初期チャネル・ベクトルに基づいて、前記初期チャネル・ベクトルを構成することと
を行うように構成される、請求項１４の装置。
【請求項１９】
コンピュータ・プログラム製品であって、
少なくとも１つのコンピュータに、第１の局から第２の局への通信チャネルのための初期チャネル・ベクトルを、取得させるためのコードと、
前記少なくとも１つのコンピュータに、前記初期チャネル・ベクトルを量子化するためのコードブックのセット中のコードブックを選択させるためのコードであって、それぞれのコードブックはチャネル・ベクトルの異なるセットを含み、前記コードブックのセット中の異なるコードブックは異なる報告インターバルにおいて選択される、選択させるためのコードと、
前記少なくとも１つのコンピュータに、前記初期チャネル・ベクトルに基づいて、前記選択されたコードブック中のチャネル・ベクトルを選択させるためのコードと、
前記少なくとも１つのコンピュータに、前記第２の局から前記第１の局へ前記選択されたチャネル・ベクトルを送らせるためのコードと
を具備するコンピュータ可読媒体、
を具備するコンピュータ・プログラム製品。